(57)【要約】      （修正有）【課題】密封効果を高め、洗浄水の排除を加速できる飲料用瓶のプラスチック瓶蓋構造を提供する。【解決手段】飲料用瓶のプラスチック瓶蓋構造であって、瓶蓋は蓋本体１０、盗難防止リング２０を備える。盗難防止リング２０の頂縁は数個のブリッジ点３０により、蓋本体１０の底縁と連接され、蓋本体１０の内頂面には内密封リング１１、中密封リング１４、外密封リング１２を設置する。蓋本体１０の内側面にはネジヤマ部分１３を設置し、ネジヤマ部分１３は数個の縦方向のトレンチ１３１を備え、盗難防止リング２０の内面には環状の連続式ブレード２１を設置し、連続式ブレード２１と盗難防止リング２０とが連接する根部位置には数個の排水孔２２を設置する。瓶蓋が飲料用瓶の瓶口に結合すると、内密封リング１１、中密封リング１４、外密封リング１２は瓶口の内壁、頂面、外側壁をそれぞれ密封する。【選択図】図１
0003195937.tif 000002
【実用新案登録請求の範囲】
【請求項１】
飲料用瓶のプラスチック瓶蓋構造であって、蓋本体、及び盗難防止リングを備え、
前記盗難防止リングの頂縁は、数個のブリッジ点により、前記蓋本体の底縁と連接され、
前記蓋本体の内頂面には、内密封リング、外密封リングを設置し、
前記内密封リングと前記外密封リングとの間の前記蓋本体内頂面には、中密封リングを設置し、
前記内密封リングの内リング面は、垂直平面で、前記内密封リングの外リング面には、凸出部を備え、前記凸出部から内密封リングの底端縁までは、斜導引面で、
前記外密封リングの内リング面には、凸出部を備え、前記凸出部から外密封リングの底端までは、斜導引面で、
前記外密封リングの外リング面は、上から下へと前記蓋本体の中心方向へと徐々に傾斜する面で、
瓶口と前記蓋本体とを結合すると、前記内密封リングの凸出部は、前記瓶口の内側壁に緊密に接触し、前記外密封リングの凸出部は、前記瓶口の外側壁に緊密に接触し、前記中密封リングの底端は、前記瓶口の頂縁に緊密に接触し、
前記蓋本体の内側面には、ネジヤマ部分を設置し、前記ネジヤマ部分は、数個の縦方向のトレンチを備え、
前記トレンチの頂端と底端は共に、開口で、
前記盗難防止リングの内面には、環状の連続式ブレードを設置し、前記連続式ブレードと前記盗難防止リングとが連接する根部位置には、数個の排水孔を設置することを特徴とする、
飲料用瓶のプラスチック瓶蓋構造。
【請求項２】
前記外密封リングの外リング面と前記蓋本体の内側面は、第一弧状角により連接されることを特徴とする請求項１に記載の飲料用瓶のプラスチック瓶蓋構造。
【請求項３】
前記外密封リングの内リング面と前記蓋本体の内頂面は、第二弧状角により連接されることを特徴とする請求項１に記載の飲料用瓶のプラスチック瓶蓋構造。
【請求項４】
前記中密封リングの底端は、平面であることを特徴とする請求項１に記載の飲料用瓶のプラスチック瓶蓋構造。
【請求項５】
前記連続式ブレードは、数個の厚セクションと数個の薄セクションが間隔を開けて連続し環状に形成され、前記厚セクションの構造の厚さは、前記薄セクションの構造の厚さより大きく、前記厚セクションの縦方向の長さは、前記薄セクションの縦方向の長さより大きく、前記排水孔は、前記厚セクションに設置することを特徴とする請求項１に記載の飲料用瓶のプラスチック瓶蓋構造。
【考案の詳細な説明】
【技術分野】
【０００１】
本考案は、飲料用瓶のプラスチック瓶蓋に関し、密封効果を高め、洗浄水の排除を加速できる飲料用瓶のプラスチック瓶蓋構造に関する。
【背景技術】
【０００２】
飲料用瓶のプラスチック瓶蓋は、飲料用瓶の瓶口と良好な密封性を備えていなければならない。
これにより、飲料用瓶内部と外部とを確実に隔絶し、飲料の衛生と安全を保証することができる。
【０００３】
従来の瓶蓋は、内頂面に、密封リングを設置する。
瓶蓋と瓶口とが結合すると、密封リングは、大きな形状の変化（湾曲など）を生じ、瓶蓋と瓶口との間隙を封鎖する。
【考案の概要】
【考案が解決しようとする課題】
【０００４】
しかし、上述した考案は使用上に欠点があり、改善する必要がある。その原因は下記の通りである。
【０００５】
上述した考案の密封リングは大きな形状の変化を生じる際、断裂が発生し易く、しかも断裂が発生しても、外部からそれを察知することはできない。
【０００６】
また、飲料を飲料用瓶に充填し瓶蓋のパッケージを行った後には、いくらかの飲料が瓶蓋と瓶口との間に溢れ、洗浄プロセスを行って溢れた飲料を取り除く必要が生じる可能性がある。
溢れた飲料或いは洗浄に用いた水は、瓶蓋と瓶口との間に残すことはできず、必ず取り除かなければならない。
しかし、この際、瓶蓋と瓶口との間のネジヤマは、排除のスムーズ性に影響を及ぼす。
【０００７】
本考案は、上述の問題に鑑みてなされたものであり、その第一の目的は、大きな形状の変化を生じると断裂して失効し易いという従来の瓶蓋の密封リングの問題を解決できる飲料用瓶のプラスチック瓶蓋構造を提供することにある。
【０００８】
本考案は、上述の問題に鑑みてなされたものであり、その第二の目的は、瓶蓋と瓶口のネジヤマが、洗浄水のスムーズな排除を阻むという従来の瓶蓋の密封リングの問題を解決できる飲料用瓶のプラスチック瓶蓋構造を提供することにある。
【課題を解決するための手段】
【０００９】
本考案による飲料用瓶のプラスチック瓶蓋構造は、蓋本体、及び盗難防止リングを備える。
該盗難防止リングの頂縁は、数個のブリッジ点により、該蓋本体の底縁と連接される。
該蓋本体の内頂面には、内密封リング、外密封リングを設置し、該内密封リングと該外密封リングとの間の該蓋本体内頂面には、中密封リングを設置し、該内密封リングの内リング面は、垂直平面で、該内密封リングの外リング面には、凸出部を備える。
該凸出部から内密封リングの底端縁までは、斜導引面である。
該外密封リングの内リング面には、凸出部を備え、該凸出部から外密封リングの底端までは、斜導引面である。
該外密封リングの外リング面は、上から下へと蓋本体の中心方向へと徐々に傾斜する面である。
瓶口と該蓋本体とを結合すると、該内密封リングの凸出部は、該瓶口の内側壁に緊密に接触し、該外密封リングの凸出部は、該瓶口の外側壁に緊密に接触し、該中密封リングの底端は、該瓶口の頂縁緊密に接触する。
該蓋本体の内側面には、ネジヤマ部分を設置し、該ネジヤマ部分は、数個の縦方向のトレンチを備える。
該トレンチの頂端と底端は共に、開口である。
該盗難防止リングの内面には、環状の連続式ブレードを設置し、該連続式ブレードと該盗難防止リングとが連接する根部位置には、数個の排水孔を設置する。
【００１０】
本考案は、内密封リングと外密封リングにより、瓶口の内側壁と外側壁を封鎖することで、中密封リングは瓶口の頂縁を封鎖し、瓶口の内側壁、頂縁、外側壁における三重の密封効果を達成することができる。
内密封リングと外密封リングと瓶口とを密封する時には、小角度の弾性変動を生じ、この小角度の弾性変動により、内密封リングと外密封リングの封鎖時に断裂が発生する確率を引き下げることができる。こうして、内密封リングと外密封リングの構造は、完全に保持され、密封効果を確保することができる。
縦方向に瓶蓋内ネジヤマ部分を通過するトレンチにより、瓶蓋と瓶口との間に溢れた飲料、或いは洗浄プロセスで用いられた水は、スムーズに排除される。すなわち、トレンチの設計により、ネジヤマ部分が、溢れた飲料、或いは洗浄プロセスで用いた水の排除を妨げるという問題を解決することができる。
【図面の簡単な説明】
【００１１】
【図１】本考案瓶蓋の断面図である。
【図２】本考案瓶蓋の内密封リング、中密封リングと外密封リングとの局部断面拡大図である。
【図３】図２を利用した密封リングと瓶口との結合の動作模式図一である。
【図４】図２を利用した密封リングと瓶口との結合の動作模式図二である。
【図５】図２を利用した密封リングと瓶口との結合の動作模式図三である。
【考案を実施するための形態】
【００１２】
（一実施形態）
本考案の一実施形態による飲料用瓶のプラスチック瓶蓋構造を図面に基づいて説明する。
図１、２に示すように、本考案瓶蓋は、蓋本体１０、及び盗難防止リング２０を備える。
【００１３】
盗難防止リング２０の頂縁は、数個のブリッジ点３０により、蓋本体１０の底縁と連接する。
【００１４】
蓋本体１０の内頂面には、内密封リング１１を設置する。
蓋本体１０の内頂面接近角位置に、外密封リング１２を設置する。
内密封リング１１と外密封リング１２との間の蓋本体１０内頂面には、中密封リング１４を設置する。
内密封リング１１の内リング面は、垂直平面１１１で、内密封リング１１の外リング面には、凸出部１１２を備える。
凸出部１１２から内密封リング１１の底端縁までは、斜導引面１１３である。
【００１５】
外密封リング１２の内リング面には、凸出部１２１を備える。
凸出部１２１から外密封リング１２の底端までは、斜導引面１２２である。
外密封リング１２の外リング面１２４は、上から下へと蓋本体１０の中心方向へと徐々に傾斜する面である。
外密封リング１２の外リング面１２４と蓋本体１０の内側面とは、第一弧状角１２３により連接される。
外密封リング１２の内リング面と蓋本体１０の内頂面とは、第二弧状角１２５により連接される。
中密封リング１４は、蓋本体１０内頂面より下方へと突出し、その底端１４１は、平面である。
【００１６】
蓋本体１０の内側面には、ネジヤマ部分１３を設置し、ネジヤマ部分１３を切断する方式で、ネジヤマ部分１３上に数個の縦方向のトレンチ１３１を形成する。
トレンチ１３１の頂端と底端は共に、開口１３２、１３３である。
【００１７】
盗難防止リング２０の内面には、連続式ブレード２１を設置する。
連続式ブレード２１は、数個の厚セクション２１１と数個の薄セクション２１２が間隔を開けて連続し環状に形成される。
厚セクション２１１の構造の厚さは、薄セクション２１２の構造の厚さより大きい。
厚セクション２１１の縦方向の長さＬ３は、薄セクション２１２の縦方向の長さＬ４より大きい。
連続式ブレード２１は、根部２１３により、盗難防止リング２０の底端内側面に連接する。
連続式ブレード２１は、根部２１３を始点とし、盗難防止リング２０の中心方向へと、一定角度の傾斜を呈する。
連続式ブレード２１には、数個の排水孔２２を設置する。
排水孔２２は、連続式ブレード２１の根部２１３に位置し、排水孔２２は、厚セクション２１１に設置する。
【００１８】
図３〜５に示すように、瓶蓋を瓶口４０に結合する結合の過程において、瓶口４０は先ず、内密封リング１１の斜導引面１１３に接触する。
斜導引面１１３の導引により、瓶口４０は、スムーズに、内密封リング１１と外密封リング１２との間へと移動する。
【００１９】
瓶口４０が外密封リング１２に接触すると、斜導引面１２２の導引により、瓶口４０はスムーズに内密封リング１１と外密封１２との間に進入する。
最後に、瓶口４０の頂縁は、中密封リング１４の底端１４１に接触して止まる。
【００２０】
瓶口４０を、内密封リング１１と外密封リング１２に導入する過程において、瓶口４０は、内密封リング１１と外密封リング１２とを、蓋本体１０の中心へ向う方向と中心から離れる方向へと、それぞれ押す。
内密封リング１１と外密封リング１２とは、小さな角度の弾性変動を生じ、しかも戻る弾力を生じる。
これにより、内密封リング１１の凸出部１１２は、瓶口４０内側壁４５に緊密に接触し、外密封リング１２は、瓶口４０の外側壁４６に緊密に接触し、中密封リング１４は、瓶口４０の頂縁４７を押し上げる。
【００２１】
上記した第一弧状角１２３と第二弧状角１２５により、外密封リング１２は、大きな戻りの弾力を生じ、瓶口４０の外側壁４６に緊密に接触し押さえることができる。
これにより、瓶口４０の内側壁４５、外側壁４６、頂縁４７は、内密封リング１１、外密封リング１２、中密封リング１４により、それぞれ三重の密封効果を達成する。
【００２２】
上記した内密封リング１１と外密封リング１２の構造設計に基づき、瓶口４０との結合時には、内密封リング１１と外密封リング１２は、過度の形状変化は発生せず、適当な弾性改変角度を発揮して順応し、しかも瓶口を緊密に押さえる。
よって、本考案の内密封リング１１と外密封リング１２とは、蓋をパッケージする時にも断裂失効しにくく、これにより上記した二重の密封効果は保持される。
【００２３】
図５に示すように、飲料を飲料用瓶に注入し、瓶蓋のパッケージを行った後には、いくらかの飲料が瓶蓋と瓶口との間に溢れるが、トレンチ１３１と排水孔２２とを通して、瓶蓋と瓶口との間に溢れた飲料を排除することができる。
【００２４】
或いは、飲料を飲料用瓶に注入し、瓶蓋のパッケージを行った後に、さらに洗浄プロセスを行う時には、トレンチ１３１と排水孔２２とは、洗浄水及び溢れた飲料を、瓶蓋と瓶口との間から排除するのに便利で、これにより瓶蓋と瓶口との間の清潔を保持することができる。
すなわち、トレンチ１３１の設計により、ネジヤマ部分１３が溢れた飲料或いは洗浄した水の排除を妨げるという問題を解決することができる。
【００２５】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。
即ち本考案の実用新案登録請求の範囲及び明細書の内容に基づいて、同等効果を有する簡単な変化及び修飾は、全て、本考案の範囲内に属するものとする。
【符号の説明】
【００２６】
１０    蓋本体
１１    内密封リング
１１１  垂直平面
１１２  凸出部
１１３  斜導引面
１１４  内密封リング底端
１２    外密封リング
１２１  凸出部
１２２  斜導引面
１２３  第一弧状角
１２４  外リング面
１２５  第二弧状角
１３    ネジヤマ部分
１３１  トレンチ
１３２  開口
１３３  開口
１４    中密封リング
１４１  底端
２０    盗難防止リング
２１    連続式ブレード
２１１  厚セクション
２１２  薄セクション
２１３  根部
２２    排水孔
３０    ブリッジ点
４０    瓶口
４５    内側壁
４６    外側壁
４７    頂縁
Ｌ３    厚セクション縦方向の長さ
Ｌ４    薄セクション縦方向の長さ
【図１】
0003195937.tif 000003
【図２】
0003195937.tif 000004
【図３】
0003195937.tif 000005
【図４】
0003195937.tif 000006
【図５】
0003195937.tif 000007